(57)【要約】【課題】  乾電池を収納する電池収納ユニットにおいて、乾電池の交換時の操作が簡単な乾電池の交換構造を提供する。【解決手段】  電池蓋と、乾電池の各々のプラス極またはマイナス極のいずれかと接触する１以上の第一の接触端子と、第一の接触端子を保持する第一の端子部材と、乾電池の各々のマイナス極またはプラス極のいずれかと接触する１以上の第二の接触端子を保持する第二の端子部材と、端子部材を加圧するバネ部材と、電池蓋の開閉と連動してバネ部材の第二の端子部材への加圧を開放するバネ解放構造と、からなる電池収納ユニットの構造であって、バネ解放構造は、電池蓋が開状態である場合に、バネ部材による第二の端子部材への加圧を解放し、電池蓋が閉状態である場合に、バネ部材により第二の端子部材を加圧する。【選択図】    図１
2016018757.tif 000002
【特許請求の範囲】
【請求項１】
１以上の乾電池を収納する電池収納ユニットの構造であって、
前記乾電池を交換する際に開閉する電池蓋と、前記乾電池の各々のプラス極またはマイナス極のいずれかと接触する１以上の第一の接触端子を保持する第一の端子部材と、前記乾電池の各々のマイナス極またはプラス極のいずれかと接触する１以上の第二の接触端子を保持する第二の端子部材と、前記第二の端子部材を加圧するバネ部材と、前記電池蓋の開閉動作と連動して前記バネ部材の前記第二の端子部材への加圧を解放するバネ解放構造と、を有し、
前記バネ解放構造は、前記電池蓋が開状態である場合に、前記バネ部材による前記第二の端子部材への加圧を解放し、前記電池蓋が閉状態である場合に、前記バネ部材により前記第二の端子部材を加圧する構造であることを特徴とする電池蓋付き電池収納ユニットの構造。
【発明の詳細な説明】
【技術分野】
【０００１】
本発明は、乾電池を収納する電池収納ユニットの構造に関する。
【背景技術】
【０００２】
従来の乾電池を収納する電池収納ユニットには、乾電池を１本ずつ外し、新しい乾電池に交換する電池収納ユニットがある（例えば、特許文献１）。しかしながら、上述した乾電池収納ユニット構造は、１本ずつ外し交換する必要があり、また、バネ端子によって固定されているために取り外しにくい問題があった。
【先行技術文献】
【特許文献】
【０００３】
【特許文献１】特許第４０２５５５７号公報
【発明の概要】
【発明が解決しようとする課題】
【０００４】
上記の問題を解決するために、本発明の目的は、乾電池を収納する電池収納ユニットにおいて、乾電池の交換時の操作が簡単な乾電池の収納構造を提供することにある。
【課題を解決するための手段】
【０００５】
上記の課題を解決するために、本発明は１以上の乾電池を収納する電池収納ユニットの構造であって、前記乾電池を交換する際に開閉する電池蓋と、前記乾電池の各々のプラス極またはマイナス極のいずれかと接触する１以上の第一の接触端子を保持する第一の端子部材と、前記乾電池の各々のマイナス極またはプラス極のいずれかと接触する１以上の第二の接触端子を保持する第二の端子部材と、前記第二の端子部材を加圧するバネ部材と、前記電池蓋の開閉動作と連動して前記バネ部材の前記第二の端子部材への加圧を解放するバネ解放構造と、を有し、前記バネ解放構造は、前記電池蓋が開状態である場合に、前記バネ部材による前記第二の端子部材への加圧を解放し、前記電池蓋が閉状態である場合に、前記バネ部材により前記第二の端子部材を加圧する構造であることを特徴とする。
【発明の効果】
【０００６】
本発明によれば、従来の乾電池を収納する電池収納ユニット構造よりも、乾電池の交換時の操作が簡単な電池収納ユニット構造を提供できる。
【図面の簡単な説明】
【０００７】
【図１】本発明の電池収納ユニットを有した機器の構成を示す斜視図
【図２】本発明の電池収納ユニットの斜視図
【図３】本発明の電池収納ユニットにおける電池蓋の斜視図
【図４】本発明の電池収納ユニット構造を説明する斜視図
【発明を実施するための形態】
【０００８】
図１は、本発明の電池収納ユニット１１を有した機器の構成を示す斜視図である。本実施例における機器は、電池収納ユニット１１と、電池収納ユニット１１に挿抜される乾電池２１と、電池収納ユニット１１と回転自在に係合される電池蓋３１と、電池収納ユニット１１を設置する筐体４１から構成される。電池収納ユニット構造については後述する。
【０００９】
図２は、電池収納ユニット１１の斜視図である。電池収納ユニット１１は第一の接触端子部材１２と、第二の接触端子部材１３から構成される。
【００１０】
第一の接触端子部材１２には、乾電池２１のプラス極に接触し通電する第一の接触端子１４とマイナス極に接触し通電する第二の接触端子１６が交互に設けられている。
【００１１】
また、後述する乾電池２１の保持を目的として凹形状の窪み１５が各乾電池２１の対置部に設けられている。
【００１２】
第二の接触端子部材１３には、マイナス極に接触し通電する第二の接触端子１６と、プラス極に接触し通電する第一の接触端子１４が第一の接触端子部材１２と非対称に設けられており、またバネ部材１７が設けられている。
【００１３】
図３は、電池蓋３１の斜視図である。電池蓋３１には、筐体４１と回転自在に係合する回転軸３２と、電池蓋３１が回転軸３２を中心に回動された場合に、第二の接触端子部材１３に接触し、第二の接触端子部材１３を滑動させる押し子３３が設けられている。
【００１４】
図４は、電池収納ユニット構造を説明する斜視図である。電池収納ユニット１１への乾電池２１の挿抜は、まず閉状態の電池蓋３１を、Ａ方向に回転軸３２を中心に回転させることで、電池蓋３１が開放される。電池蓋３１が開放された状態へ移行する際、電池蓋３１に設けられた押し子３３が、乾電池２１の固定のため、バネ部材１７の反力によってＢ’方向へ押圧されていた第二の接触端子部材１３を押し、逆方向のＢ方向へスライドさせることで、第一の接触端子部材１２と第二の接触端子部材１３間の距離が増し、乾電池２１を固定させる構造が解除される。これにより、従来のバネに押しつけながら挿入する操作がなくなり、容易に乾電池２１を挿抜できる。
【００１５】
また、乾電池２１は第一の接触端子部材１２に設けられた凹型状の窪み１５に沿って戴置され、戴置される乾電池２１は電池収納ユニット１１内で整列させられる。
【００１６】
乾電池２１の戴置後、電池蓋３１を閉状態とするとき、電池蓋３１を開状態とは逆向きのＡ’方向に回転させ、第二の接触端子部材１３への押し子３３による押圧が解除されることにより、第二の接触端子部材１３はバネ部材１７の反力でＢ’方向に戻されるとともに、乾電池２１を第二の接触端子部材１３によって押圧し、第一の接触端子部材１２と第二の接触端子部材１３で挟み込み、第一の接触端子部材１２と第二の接触端子部材１３に設けられた、非対称に位置された第一の接触端子１４と第二の接触端子１６に接触することにより、電池蓋３１の操作に連動した通電状態の回復がなされる。
【００１７】
以上、本実施例の発明について説明した。
【００１８】
本実施例では、電池収納ユニット１１を乾電池２１が直列に戴置されるよう表現しているが、並列に戴置した場合でも、同様に本発明を実施可能である。
【符号の説明】
【００１９】
１１  電池収納ユニット
１２  第一の接触端子部材
１３  第二の接触端子部材
１４  第一の接触端子
１５  凹形状の窪み
１６  第二の接触端子
１７  バネ部材
２１  乾電池
３１  電池蓋
３２  回転軸
３３  押し子
４１  筐体
【図１】
2016018757.tif 000003
【図２】
2016018757.tif 000004
【図３】
2016018757.tif 000005
【図４】
2016018757.tif 000006